(57)【要約】【課題】速い時間内に異機種網間のハンドオーバーを完了できる通信方法を提供する。【解決手段】少なくとも二つ以上のインターフェースを含むマルチモード移動端末において、リンク検出を通して把握した新しい接続点に関する第１制御情報を特定のネットワークに関する情報を提供するネットワークエンティティに要請する段階と、前記要請した第１制御情報及び前記新しい接続点で提供される第２制御情報を獲得する段階と、前記第１制御情報及び前記第２制御情報によって前記新しい接続点に対する連結を行う段階とを含んでマルチモード移動端末の制御情報送受信方法を構成する。【選択図】図４
2009538548.tif 000002
【特許請求の範囲】
【請求項１】
少なくとも二つ以上のインターフェースを含むマルチモード移動端末において、
リンク検出を通して把握した新しい接続点に関する第１制御情報を特定のネットワークに関する情報を提供するネットワークエンティティに要請する段階と；
前記要請した第１制御情報及び前記新しい接続点で提供される第２制御情報を獲得する段階と；
前記第１制御情報及び前記第２制御情報によって前記新しい接続点に対する連結を行う段階と；を含んで構成されるマルチモード移動端末の制御情報送受信方法。
【請求項２】
前記第１制御情報は、前記新しい接続点にハンドオーバーを行うのに必要な制御情報であることを特徴とする請求項１に記載のマルチモード移動端末の制御情報送受信方法。
【請求項３】
前記第１制御情報は、前記新しい接続点に対する接続を行うための物理階層の制御情報であることを特徴する請求項１に記載のマルチモード移動端末の制御情報送受信方法。
【請求項４】
前記要請する段階は、現在の接続点を通して前記第１制御情報を要請する段階であることを特徴とする請求項１に記載のマルチモード移動端末の制御情報送受信方法。
【請求項５】
前記要請する段階は、前記ネットワークエンティティに直接的に要請メッセージを伝送する段階であることを特徴とする請求項１に記載のマルチモード移動端末の制御情報送受信方法。
【請求項６】
前記第２制御情報は放送されることを特徴とする請求項１に記載のマルチモード移動端末の制御情報送受信方法。
【請求項７】
前記第２制御情報は、アップリンクまたはダウンリンクの無線資源に関する割り当て情報であることを特徴とする請求項１に記載のマルチモード移動端末の制御情報送受信方法。
【請求項８】
前記連結を行う段階は、第２階層の連結を設定する段階であることを特徴とする請求項１に記載のマルチモード移動端末の制御情報送受信方法。
【請求項９】
前記新しい接続点は、リンクパラメーターに変化が発生する場合、変更されたパラメーターに関する情報を前記ネットワークエンティティに伝送し、更新を要請することを特徴とする請求項１に記載のマルチモード移動端末の制御情報送受信方法。
【請求項１０】
少なくとも二つ以上のインターフェースを含むマルチモード移動端末において、
現在の接続点にハンドオーバー事実を通知し、現在の接続点に保存された新しい接続点に関する第１制御情報を要請する段階と；
前記要請した第１制御情報及び前記新しい接続点で提供される第２制御情報を獲得する段階と；
前記第１制御情報及び前記第２制御情報によって前記新しい接続点に対する連結を行う段階と；を含んで構成され、
前記現在の接続点に保存された第１制御情報は、特定のネットワークに関する情報を提供するネットワークエンティティから提供されたことを特徴とするマルチモード移動端末の制御情報送受信方法。
【請求項１１】
少なくとも二つ以上のインターフェースを含むマルチモード移動端末において、
現在の接続点にハンドオーバー事実を通知し、新しい接続点に関する第１制御情報を要請する段階と；
前記新しい接続点から前記現在の接続点に提供された前記第１制御情報を獲得する段階と；
前記新しい接続点から提供される第２制御情報を獲得する段階と；
前記第１制御情報及び前記第２制御情報によって前記新しい接続点に対する連結を行う段階と；を含んで構成されるマルチモード移動端末の制御情報送受信方法。
【請求項１２】
少なくとも二つ以上のインターフェースを提供する通信システムに含まれた特定の接続点において、
マルチモード移動端末から特定の接続点に関する制御情報を獲得することを要請するメッセージを受信する段階と；
前記制御情報を特定のネットワークに関する情報を提供するネットワークエンティティに要請して獲得する段階と；
前記マルチモード移動端末に前記制御情報を提供する段階と；を含んで構成されるハンドオーバーのための制御情報送受信方法。
【発明の詳細な説明】
【技術分野】
【０００１】
本発明は、複数のインターフェースで構成されたマルチモード移動端末に関するもので、より具体的には、互いに異なる種類の網間のハンドオーバー時における情報獲得及び情報更新方法に関するものである。
【背景技術】
【０００２】
本発明は、互いに異なる種類の網、すなわち、異種網間のハンドオーバーと関連したものであるので、多様な種類の通信システムの一例として広帯域無線接続システムを説明する。
【０００３】
以下、広帯域無線接続システムの特徴及び広帯域無線接続システムで使用されるメッセージを説明する。広帯域無線接続システムに対する国際標準化を進行しているＩＥＥＥ８０２．１６ｅのシステムは、既存の２Ｇ、３Ｇ移動通信システムとは異なり、ＨＬＲ、ＶＬＲ、ＭＳＣ、ＢＳＣ、ＲＮＣなどの階層的構造を備えておらず、移動端末であるＭＳＳ（Ｍｏｂｉｌｅ  Ｓｕｂｓｃｒｉｂｅｒ  Ｓｔａｔｉｏｎ）、基地局であるＢＳ（Ｂａｓｅ  Ｓｔａｔｉｏｎ）及び認証管理サーバーであるＡＳＡ（Ａｕｔｈｅｎｔｉｃａｔｉｏｎ  Ｓｅｒｖｉｃｅ  Ａｕｔｈｏｒｉｚａｔｉｏｎ）のみで構成されている。基地局と端末との間では、共通した物理階層（Ｐｈｙｓｉｃａｌ  ｌａｙｅｒ：ＰＨＹ）及び接続制御階層（Ｍｅｄｉｕｍ  Ａｃｃｅｓｓ  Ｃｏｎｔｒｏｌ：ＭＡＣ）を定義する。
【０００４】
図１は、広帯域無線接続システムのＯＦＤＭＡ物理階層のフレーム構造を示している。ダウンリンク副フレーム（ＤＬ  ｓｕｂｆｒａｍｅ）は、物理階層での同期化及び等化のために使用されるプリアンブルで開始した後、ダウンリンク（ＤｏｗｎＬｉｎｋ：ＤＬ）とアップリンク（ＵｐＬｉｎｋ：ＵＬ）に割り当てられるバーストの位置及び用途を定義する放送形態のダウンリンクマップ（ＤＬ−ＭＡＰ）メッセージ及びアップリンクマップ（ＵＬ−ＭＡＰ）メッセージを通してフレーム全体に対する構造を定義する。下記の表１と表２は、それぞれＤＬ−ＭＡＰメッセージとＵＬ−ＭＡＰメッセージの一例を示している。
【０００５】
【表１】
2009538548.tif 000003
【０００６】
【表２】
2009538548.tif 000004
前記ＤＬ−ＭＡＰメッセージは、バーストモード物理階層でダウンリンク区間に対してバースト別に割り当てられた用途を定義する。また、前記ＵＬ−ＭＡＰメッセージは、アップリンク区間に対して割り当てられたバーストの用途を定義する。前記ＤＬ−ＭＡＰを構成する情報要素（Ｉｎｆｏｒｍａｔｉｏｎ  Ｅｌｅｍｅｎｔ：ＩＥ）は、ＤＩＵＣ（Ｄｏｗｎｌｉｎｋ  Ｉｎｔｅｒｖａｌ  Ｕｓａｇｅ  Ｃｏｄｅ）、ＣＩＤ（Ｃｏｎｎｅｃｔｉｏｎ  ＩＤ）及びバーストの位置情報（副チャネルオフセット、シンボルオフセット、副チャネル数、シンボル数）によって使用者端にダウンリンクトラフィック区間が区分される。一方、前記ＵＬ−ＭＡＰメッセージを構成する情報要素（ＩＥ）は、各ＣＩＤ（Ｃｏｎｎｅｃｔｉｏｎ  ＩＤ）別にＵＩＵＣ（Ｕｐｌｉｎｋ  Ｉｎｔｅｒｖａｌ  Ｕｓａｇｅ  Ｃｏｄｅ）によって用途が決まり、デュレーション（ｄｕｒａｔｉｏｎ）によって該当区間の位置が規定される。ここで、前記ＵＬ−ＭＡＰで使用されるＵＩＵＣ値によって区間別用途が決まり、各区間は、それ以前のＩＥ開始点からＵＬ−ＭＡＰ  ＩＥで規定されたデュレーションだけ離れた地点で開始する。
【０００７】
ダウンリンクチャネル叙述子（Ｄｏｗｎｌｉｎｋ  Ｃｈａｎｎｅｌ  Ｄｅｓｃｒｉｐｔｉｏｎ：ＤＣＤ）メッセージ及びアップリンクチャネル叙述子（Ｕｐｌｉｎｋ  Ｃｈａｎｎｅｌ  Ｄｅｓｃｒｉｐｔｉｏｎ：ＵＣＤ）メッセージは、基地局のアップリンク／ダウンリンクチャネルパラメーターを含むＭＡＣ管理メッセージとして、基地局から放送形態で一定の周期を有して各移動端末に伝送される。各移動端末は、ＤＣＤ／ＵＣＤメッセージから各バーストのコーディング及び変調方式に対する情報を獲得し、これを通してデータのコーディング／デコーディングを行う。移動端末は、周期的に伝送されるＤＣＤ及びＵＣＤメッセージを受信し、基地局のチャネルパラメーターが変更されたかを判断し、変更されるチャネルパラメーターをＤＣＤ／ＵＣＤメッセージを通して更新する。前記ＵＣＤメッセージには、アップリンクバーストのコーディング及び変調方式と関連したプロファイル情報と一緒に、レンジング及び帯域要請と関連したＣＤＭＡコード集合及び移動端末のコード伝送後の衝突時に適用されるバックオフ（ｂａｃｋｏｆｆ）時間などが定義されている。移動端末は、構造変更カウント（Ｃｏｎｆｉｇｕｒａｔｉｏｎ  Ｃｈａｎｇｅ  Ｃｏｕｎｔ）値とＤＬ−ＭＡＰメッセージ内のＤＣＤカウント値を比較し、これらの値が異なると、ＤＣＤメッセージが変更されたと見なす一方、これらの値が同じであると、ＤＣＤメッセージがそれ以前に伝送されたＤＣＤメッセージと同一であると見なす。下記の表３は、ＤＣＤメッセージの一例を表している。
【０００８】
【表３】
2009538548.tif 000005
下記の表４は、前記ＤＣＤメッセージ内に挿入されるＴＬＶ（Ｔｙｐｅ、Ｌｅｎｇｔｈ、Ｖａｌｕｅ）エンコーディングの一つである。下記のＴＬＶエンコーディングを通して、基地局がＭＩＨ性能を支援するかどうかを表すことができる。
【０００９】
【表４】
2009538548.tif 000006
広帯域無線接続システムのＯＦＤＭＡ方式では、移動端末がアップリンク伝送パラメーターを調整するためのレンジング要請とアップリンク帯域要請をＣＤＭＡコードを使用して行う。基地局は、アップリンクチャネル叙述子（ＵＣＤ）メッセージを通してレンジングと帯域要請のためのＣＤＭＡコード集合を放送形態で各移動端末に伝達し、移動端末は、ＵＣＤメッセージから獲得したＣＤＭＡコードのうち、用途に合うレンジングコードを任意に選択し、これをレンジングのために割り当てられたアップリンク区間に伝送する。下記の表５は、前記ＵＣＤメッセージの一例を表している。
【００１０】
【表５−１】
2009538548.tif 000007
【００１１】
【表５−２】
2009538548.tif 000008
移動端末は、ＤＬ−ＭＡＰ、ＵＬ−ＭＡＰを受信した後、網接続手順のためにレンジングを実行する。
【００１２】
本発明は、互いに異なる複数の網間のハンドオーバーに関するものであるので、以下、異機種網間のハンドオーバー技術に対して説明する。
【００１３】
異機種網間の媒介体独立ハンドオーバー（Ｍｅｄｉａ  Ｉｎｄｅｐｅｎｄｅｎｔ  Ｈａｎｄｏｖｅｒ：ＭＩＨ）に対する国際標準化を進行しているＩＥＥＥ８０２．２１は、異種網間にシームレスなハンドオーバーとサービス連続性を提供し、移動端末装置の使用者便宜性を向上させることを目的としており、基本的な要求事項として、ＭＩＨ機能、イベントサービス（Ｅｖｅｎｔ  Ｓｅｒｖｉｃｅ：ＥＳ）、命令サービス（Ｃｏｍｍａｎｄ  Ｓｅｒｖｉｃｅ：ＣＳ）及び情報サービス（Ｉｎｆｏｒｍａｔｉｏｎ  Ｓｅｒｖｉｃｅ：ＩＳ）を定義している。
【００１４】
移動端末は、一つ以上のインターフェースタイプを支援するマルチモードノードで、インターフェースは、下記のような形態のうち一つである。
【００１５】
ｉ）８０２．３基盤のイーサネット（登録商標）などの有線形態
ｉｉ）ＩＥＥＥ８０２．ＸＸに基づいた無線インターフェース
−８０２．１１
−８０２．１５
−８０２．１６
ｉｉｉ）３ＧＰＰ、３ＧＰＰ２などのセルラー標準化機構によって定義されたインターフェース
上述したように、本発明は、異機種網間のハンドオーバーに関するものであるので、本発明は、有線または無線インターフェースを支援する多様な網間のハンドオーバーを支援する。
【００１６】
図２は、マルチモードで構成された移動端末の一例を示した図である。
【００１７】
図２に示すように、マルチモードで構成された移動端末は、各モードの物理階層及び媒体接近制御（ＭＡＣ）階層を備えている。また、移動端末のＭＩＨ機能は、論理的な個体として、プロトコルスタック内の各階層とＳＡＰ（Ｓｅｒｖｉｃｅ  Ａｃｃｅｓｓ  Ｐｏｉｎｔ）を通してインターフェースしながら自由に位置することができる。
【００１８】
媒介体独立ハンドオーバー（Ｍｅｄｉａ  Ｉｎｄｅｐｅｎｄｅｎｔ  Ｈａｎｄｏｖｅｒ：ＭＩＨ）は、８０２系列インターフェース間または８０２系列インターフェースと上述した非８０２系列インターフェース（３ＧＰＰ、３ＧＰＰ２）との間で定義されるべきで、モバイルＩＰ及びＳＩＰ（Ｓｅｓｓｉｏｎ  Ｉｎｉｔｉａｔｉｏｎ  Ｐｒｏｔｏｃｏｌ）などの上位階層の移動性支援プロトコルがハンドオーバーサービス及びシームレスなサービスのために支援されるべきである。
【００１９】
以下、ＭＩＨ機能（ＭＩＨＦ）を説明する。ＩＥＥＥ８０２．２１規格は、“ｂｒｅａｋ  ｂｅｆｏｒｅ  ｍａｋｅ”または“ｍａｋｅ  ｂｅｆｏｒｅ  ｂｒｅａｋ”に大きく区分される多様なハンドオーバー方法が容易に動作するように助けることを目的とする。媒介体独立ハンドオーバー機能（Ｍｅｄｉａ  Ｉｎｄｅｐｅｎｄｅｎｔ  Ｈａｎｄｏｖｅｒ  Ｆｕｎｃｔｉｏｎ：ＭＩＨＦ）は、定義されたサービス接近点（Ｓｅｒｖｉｃｅ  Ａｃｃｅｓｓ  Ｐｏｉｎｔ：ＳＡＰ）を通して上位階層と下位階層に媒介体独立イベントサービス（Ｍｅｄｉａ  Ｉｎｄｅｐｅｎｄｅｎｔ  Ｅｖｅｎｔ  Ｓｅｒｖｉｃｅ：ＭＩＥＳ）などの非対称サービス及び媒介体独立命令サービス（Ｍｅｄｉａ  Ｉｎｄｅｐｅｎｄｅｎｔ  Ｃｏｍｍａｎｄ  Ｓｅｒｖｉｃｅ：ＭＩＣＳ）などの対称サービスを提供する。媒介体独立ハンドオーバー技術は、三つのＭＩＨＦサービス及び媒介体独立ハンドオーバープロトコルで構成される。三つの主要なＭＩＨＦサービスは、媒介体独立イベントサービス（Ｍｅｄｉａ  Ｉｎｄｅｐｅｎｄｅｎｔ  Ｅｖｅｎｔ  Ｓｅｒｖｉｃｅ：ＭＩＥＳ）、媒介体独立命令サービス（Ｍｅｄｉａ  Ｉｎｄｅｐｅｎｄｅｎｔ  Ｃｏｍｍａｎｄ  Ｓｅｒｖｉｃｅ：ＭＩＣＳ）及び媒介体独立情報サービス（Ｍｅｄｉａ  ｉｎｄｅｐｅｎｄｅｎｔ  Ｉｎｆｏｒｍａｔｉｏｎ  Ｓｅｒｖｉｃｅ：ＭＩＩＳ）などである。
【００２０】
以下、媒介体独立イベントサービスを説明する。
【００２１】
媒介体独立イベントサービスは、リンク階層から各上位階層に伝達される情報として、各上位階層は、この情報を登録手順によって受信可能である。ここで、移動性管理プロトコルを含む各上位階層は、ハンドオーバーを予測することでハンドオーバーを助けるために、ハンドオーバーが直ぐ発生するはずであること、またはハンドオーバーが行われたことを表すリンク階層情報を受信する必要がある。媒介体独立イベントサービスは、リンクイベントとＭＩＨイベントに区分される。すなわち、各下位階層（２階層以下）にあるイベントを発生した個体で始まり、通常的にＭＩＨＦで終了するリンクイベントと、ＭＩＨＦによって登録した各上位階層（３階層以上）に伝播されるＭＩＨイベントに区分される。リンクイベントとＭＩＨイベントは、伝播される領域によって再び二つに区分される。すなわち、各イベントがローカルスタック内のイベントソースから発生し、地域ＭＩＨＦ（Ｌｏｃａｌ  ＭＩＨＦ）に伝達されるか、ＭＩＨＦから各上位階層にアップリンクで伝達されると、地域イベントであると分類する。また、遠隔のイベントソースから発生し、遠隔のＭＩＨＦ（Ｒｅｍｏｔｅ  ＭＩＨＦ）に伝達されるか、遠隔ＭＩＨＦから地域ＭＩＨＦに遠隔で伝達される場合、遠隔イベントであると分類する。
【００２２】
以下、異機種網間のハンドオーバーのためのイベントサービスの例を説明する。
【００２３】
Ｌｉｎｋ＿Ｇｏｉｎｇ＿Ｄｏｗｎ
前記Ｌｉｎｋ＿Ｇｏｉｎｇ＿Ｄｏｗｎは、２階層連結が特定の時間内にＬｉｎｋ＿Ｄｏｗｎ状態になると予測されるときに発生し、ハンドオーバー手順を初期化するためのシグナルになり得る。
【００２４】
イベント根源地：｛Ｌｏｃａｌ  ＭＡＣ、Ｒｅｍｏｔｅ  ＭＡＣ｝
パラメーターは、下記の表６に示す通りである。
【００２５】
【表６−１】
2009538548.tif 000009
【００２６】
【表６−２】
2009538548.tif 000010
Ｌｉｎｋ＿Ｄｅｔｅｃｔｅｄ
Ｌｉｎｋ＿Ｄｅｔｅｃｔｅｄは、新しい特定のリンクが利用可能であることを表し、現在移動端末が接続している基地局やアクセスポイント（すなわち、現在の接続点）に比べて新しい基地局やアクセスポイントがより良好なリンク品質を提供することもできるという可能性を表す。
【００２７】
イベント根源地：｛Ｌｏｃａｌ  ＭＡＣ、Ｒｅｍｏｔｅ  ＭＡＣ｝
パラメーターは、下記の表７に示す通りである。
【００２８】
【表７】
2009538548.tif 000011
−Ｌｉｎｋ＿Ｐａｒａｍｅｔｅｒｓ＿Ｃｈａｎｇｅ
Ｌｉｎｋ＿Ｐａｒａｍｅｔｅｒｓ＿Ｃｈａｎｇｅは、リンクパラメーター値の変化が特定の限界水準を越えたときに発生する。Ｌｉｎｋ＿Ｐａｒａｍｅｔｅｒｓ＿Ｃｈａｎｇｅは、リンク速度、ＱｏＳ（Ｑｕａｌｉｔｙ  ｏｆ  Ｓｅｒｖｉｃｅ）、暗号化値などのリンク階層パラメーターを含むことができる。
【００２９】
イベント根源地：｛Ｌｏｃａｌ  ＭＡＣ、Ｒｅｍｏｔｅ  ＭＡＣ｝
パラメーターは、下記の表８に示す通りである。
【００３０】
【表８−１】
2009538548.tif 000012
【００３１】
【表８−２】
2009538548.tif 000013
以下、媒介体独立命令サービスを説明する。
【００３２】
媒介体独立命令サービスは、各上位階層及び他のＭＩＨ使用者のリンク状態を決定し、多重モード装置の最適化された動作を調整するための命令である。また、前記各命令は、各上位階層（３階層以上）から各下位階層（２階層以下）に送られる命令である。媒介体独立イベントサービスと同様に、前記媒介体独立命令サービスは、リンク命令とＭＩＨ命令に区分される。また、リンク命令とＭＩＨ命令は、伝播される領域によって地域命令と遠隔命令に分けられる。地域ＭＩＨ命令は、各上位階層で発生し、ＭＩＨＦ（例えば、上位階層移動性管理プロトコルのＭＩＨＦまたは政策機関（Ｐｏｌｉｃｙ  Ｅｎｇｉｎｅ）ＭＩＨＦなど）に伝達される。地域リンク命令語は、各下位階層個体を調整するためにＭＩＨＦで発生し、各下位階層（例えば、ＭＩＨＦから媒体接近制御（ＭＡＣ）またはＭＩＨＦから物理（ＰＨＹ）階層）に伝達される。遠隔ＭＩＨ命令は、各上位階層で発生し、遠隔の同等スタックに伝達される命令で、遠隔リンク命令は、ＭＩＨＦで発生し、遠隔の同等スタックの各下位階層に伝達される命令である。
【００３３】
以下、本発明で使用される情報サービスを説明する。
【００３４】
媒介体独立情報サービス（Ｍｅｄｉａ  Ｉｎｄｅｐｅｎｄｅｎｔ  Ｉｎｆｏｒｍａｔｉｏｎ  Ｓｅｒｖｉｃｅ：ＭＩＩＳ）は、現存する多様な形態のネットワークを発見して選択することを容易にするために、階層的なネットワーク上で類似したフレームワークを提供する。すなわち、ネットワーク発見と選択のために必要なネットワークに対する詳細な情報を提供し、如何なるネットワークからも接近可能であるべきである。媒介体独立情報サービス（ＭＩＩＳ）は、次のような情報要素を含む。
【００３５】
−リンク接近パラメーター
−保安メカニズム
−ネイバーマップ
−位置
−サービス提供者及び他のアクセス情報
−リンク費用
以下、ＭＩＨ性能発見（ＭＩＨ  Ｃａｐａｂｉｌｉｔｙ  Ｄｉｓｃｏｖｅｒｙ）と関連したメッセージを説明する。
【００３６】
ＭＩＨ＿Ｃａｐａｂｉｌｉｔｙ＿Ｄｉｓｃｏｖｅｒｙ．ｒｅｑｕｅｓｔメッセージは、次のような特徴を有する。
【００３７】
前記メッセージは、ＭＩＨメッセージペイロードを含んでおらず、ＭＩＨヘッダーのみを用いてメッセージタイプが１に設定されて伝送される。このメッセージは、２階層（Ｌ２）または３階層（Ｌ３）を通して伝達される。このメッセージを送信する個体が正確な相手個体の住所を知っておらず、網内にどの個体がＭＩＨ機能を有しているかを発見しようとするとき、このメッセージをブロードキャストメッセージとして伝送する。他の場合、このメッセージを送信する個体が相手個体の住所を知っているが、その個体のＭＩＨ機能有無を把握するとき、このメッセージをユニキャストメッセージとして伝送する。
【００３８】
ＭＩＨ＿Ｃａｐａｂｉｌｉｔｙ＿Ｄｉｓｃｏｖｅｒｙ．ｒｅｓｐｏｎｓｅメッセージは、次のような特徴を有する。
【００３９】
ＭＩＨ＿Ｃａｐａｂｉｌｉｔｙ＿Ｄｉｓｃｏｖｅｒｙ．ｒｅｑｕｅｓｔメッセージを受信した個体がＭＩＨ機能を有している場合、ＭＩＨ＿Ｃａｐａｂｉｌｉｔｙ＿Ｄｉｓｃｏｖｅｒｙ．ｒｅｓｐｏｎｓｅメッセージを通して応答する。前記応答メッセージも、ＭＩＨメッセージペイロードを含んでおらず、ＭＩＨヘッダーのみを用いてメッセージタイプが１に設定されて伝送される。前記応答メッセージは、２階層または３階層を通して伝達される。このように伝達される場合、ＭＩＨヘッダーのあて先アドレス（Ｄｅｓｔｉｎａｔｉｏｎ  ａｄｄｒｅｓｓｅｓ）は、ＭＩＨ＿Ｃａｐａｂｉｌｉｔｙ＿Ｄｉｓｃｏｖｅｒ．ｒｅｑｕｅｓｔのソースアドレス（ｓｏｕｒｃｅ  ａｄｄｒｅｓｓ）を複写して充填し、ソースアドレスは、自身の住所を充填する。また、ＭＩＨ機能（ＭＩＨＦ）を有している個体は、２階層または３階層を通して自身のＭＩＨ機能（ＭＩＨＦ）を周期的に広告することができる。
【００４０】
以下、上述した各メッセージを用いて異機種網間のハンドオーバーを行う方法を説明する。
【００４１】
図３は、従来技術に係るハンドオーバー手順を示したフローチャートの一例である。すなわち、図３は、マルチモード移動端末が無線ＬＡＮ接続点から広帯域接続システムにハンドオーバーする場合、ＤＣＤメッセージを通してハンドオーバーしようとする基地局のＭＩＨＦ性能情報を獲得する方法及び網接続手順を示している。
【００４２】
まず、マルチモード移動端末のＭＩＨは、現在接続している無線ＬＡＮリンクが一定時間後に接続解除状態になるという通報をリンク階層から受ける（Ｓ３０１）。すなわち、移動端末は、現在の接続点（図３のＩＥＥＥ８０２．１１）との接続が解除されるという通報を受ける。
【００４３】
接続が解除されることを知った移動端末のＭＩＨＦは、現在の接続点のＭＩＨまで遠隔で接続が解除されることを表すＬｉｎｋ＿ｇｏｉｎｇ＿ｄｏｗｎプリミティブを伝送する（Ｓ３０２）。前記Ｌｉｎｋ＿ｇｏｉｎｇ＿ｄｏｗｎプリミティブは、前記表６などを通して説明した通りである。
【００４４】
移動端末の上位管理個体は、他の網にハンドオーバーするために他のリンクを検出することを指示する。前記指示は、ＭＩＨＦを通して該当のインターフェースリンク階層に伝達され、実際にリンク検出を行う（Ｓ３０３）。
【００４５】
Ｓ３０３のスキャン手順を通して検出された広帯域無線接続リンクは、リンク検出（Ｌｉｎｋ  Ｄｅｔｅｃｔｅｄ）プリミティブを通してＭＩＨＦに伝達される（Ｓ３０４）。図３は、新しい接続点が広帯域無線接続リンクである場合の一例である。
【００４６】
使用可能なリンク情報を受けたＭＩＨＦまたは上位管理個体は、該当のリンク設定のためにリンク連結（Ｌｉｎｋ  Ｃｏｎｎｅｃｔ）命令語を広帯域接続システムリンクに伝送する（Ｓ３０５）。
【００４７】
基地局のＭＡＣ階層は、移動端末のＭＡＣ階層にＤＬ−ＭＡＰ、ＵＬ−ＭＡＰメッセージをフレームごとに放送する。これを通して、移動端末は、アップリンク及びダウンリンクのためのフレーム構造、帯域割り当て及びＤＩＵＣ、ＵＩＵＣなどに対する情報を獲得する（Ｓ３０６）。
【００４８】
また、基地局のＭＡＣ階層は、基地局のＭＩＨＦ性能情報を含むＤＣＤメッセージを周期的に移動端末に伝送する。移動端末は、ＤＬ−ＭＡＰメッセージからＤＣＤカウント値とＤＣＤメッセージ内の構成カウント変更（Ｃｏｎｆｉｇｕｒａｔｉｏｎ  ｃｏｕｎｔ  ｃｈａｎｇｅ）値を比較し、これらの値が同一でない場合、最近に伝送されたＤＣＤメッセージ内容に更新する（Ｓ３０７）。
【００４９】
移動端末のＭＡＣ階層は、ＤＣＤメッセージを通して受信されたＭＩＨＦ性能情報をＭＩＨＦまたは上位管理個体に伝送する（Ｓ３０８）。
【００５０】
基地局は、ＤＣＤメッセージと一緒に、アップリンクチャネルに関する情報を含むＵＣＤメッセージを放送する（Ｓ３０９）。ただし、前記Ｓ３０９の手順をＳ３０８の手順前に行うこともできる。また、Ｓ３０９の手順は、Ｓ３０７の手順と同一の周期を行うことができ、同一の方法で最近のＵＣＤメッセージ内容を伝送することができる（Ｓ３０９）。
【００５１】
移動端末は、基地局に２階層連結のための手順を行う（Ｓ３１０）。
【００５２】
上述したＳ３０１乃至Ｓ３１０の手順を通して、従来の移動端末は、現在の接続点から新しい接続点にハンドオーバーを行う。
【００５３】
以下、上述した従来技術の問題点を説明する。
【００５４】
従来技術に係るハンドオーバーを行う場合、移動端末は、新しい網に接続するためのシステム情報を、その網に接続した後、新しい接続点が伝送する放送メッセージを受信したときに知ることができた。すなわち、上述した新しい網に接続するリンク連結（Ｌｉｎｋ  Ｃｏｎｎｅｃｔ）命令語を伝送した後、前記新しい網で放送される制御情報を受信し、ハンドオーバー手順を完了した。しかしながら、ハンドオーバーを試みる移動端末が新しい網から必要な放送メッセージを受信するのにかかる遅延時間のために、ハンドオーバーの遅延問題が発生した。
【発明の開示】
【発明が解決しようとする課題】
【００５５】
本発明は、上述した従来技術の問題点を解決するために提案されたもので、その目的は、速い時間内に異機種網間のハンドオーバーを完了できる通信方法を提供することにある。
【００５６】
本発明の他の目的は、異機種網間のハンドオーバーのための制御情報を効率的に更新して獲得する方法を提供することにある。
【課題を解決するための手段】
【００５７】
本発明に係る制御情報獲得及び更新方法は、従来技術の問題点を解決するために、少なくとも二つ以上のインターフェースを含むマルチモード移動端末において、リンク検出を通して把握した新しい接続点に関する第１制御情報を特定のネットワークに関する情報を提供するネットワークエンティティに要請する段階と、前記要請した第１制御情報及び前記新しい接続点で提供される第２制御情報を獲得する段階と、前記第１制御情報及び前記第２制御情報によって前記新しい接続点に対する連結を行う段階とを含む。
【００５８】
また、本発明に係る制御情報獲得及び更新方法は、少なくとも二つ以上のインターフェースを含むマルチモード移動端末において、現在の接続点にハンドオーバー事実を通知し、現在の接続点に保存された新しい接続点に関する第１制御情報を要請する段階と、前記要請した第１制御情報及び前記新しい接続点で提供される第２制御情報を獲得する段階と、前記第１制御情報及び前記第２制御情報によって前記新しい接続点に対する連結を行う段階とを含んで構成され、前記現在の接続点に保存された第１制御情報は、特定のネットワークに関する情報を提供するネットワークエンティティから提供されたことを特徴とする。
【００５９】
また、本発明に係る制御情報獲得及び更新方法は、少なくとも二つ以上のインターフェースを含むマルチモード移動端末において、現在の接続点にハンドオーバー事実を通知し、新しい接続点に関する第１制御情報を要請する段階と、前記新しい接続点から前記現在接続点に提供された前記第１制御情報を獲得する段階と、前記新しい接続点から提供される第２制御情報を獲得する段階と、前記第１制御情報及び前記第２制御情報によって前記新しい接続点に対する連結を行う段階とを含んで構成される。
【００６０】
また、本発明に係る制御情報獲得及び更新方法は、少なくとも二つ以上のインターフェースを提供する通信システムに含まれた特定の接続点において、マルチモード移動端末から特定の接続点に関する制御情報を獲得することを要請するメッセージを受信する段階と、前記制御情報を特定のネットワークに関する情報を提供するネットワークエンティティに要請して獲得する段階と、前記マルチモード移動端末に前記制御情報を提供する段階とを含んで構成される。
【発明の効果】
【００６１】
本発明は、有線及び無線を含む二つ以上のインターフェースからなるマルチモードで構成された移動端末が媒介体独立ハンドオーバーを行うとき、情報サーバーから新しい接続点に対するシステムパラメーター情報を予め獲得し、迅速な通信を再開する方法を提供する。また、本発明は、情報サーバーに保存された情報を更新し、情報に対する信頼性を提供する方法を提供する。前記マルチモード移動端末が支援するインターフェースの種類には制限がなく、例えば、広帯域無線接続システム（ＩＥＥＥ８０２．１６）インターフェース、有線ＬＡＮ（ＩＥＥＥ８０２．３）インターフェース、無線ＬＡＮ（ＩＥＥＥ８０２．１１）インターフェースまたはセルラー（３ＧＰＰ／３ＧＰＰ２）インターフェースなどが可能である。
【００６２】
例えば、ＩＥＥＥ８０２．２１で提供する情報サーバーを通してシステムパラメーター情報を提供することができる。また、例えば、システムパラメーター情報は、ＩＥＥＥ８０２．１６システムの場合には、ＵＣＤ、ＤＣＤ、ＤＩＵＣ及びＵＩＵＣなどを含むことができ、３ｇｐｐの場合には、ＳＩＢ（ｓｙｓｔｅｍ  ｉｎｆｏｒｍａｔｉｏｎ  ｂｌｏｃｋ）を含むことができ、３ｇｐｐ２の場合には、システムパラメーターメッセージ及び拡張されたシステムパラメーターメッセージなどを含むことができる。
【００６３】
本発明の各実施例によると、如何なるシステムパラメーターを含むハンドオーバーのための候補システム（または新しい接続点）に関する情報も提供することができる。
【発明を実施するための最良の形態】
【００６４】
本発明は、特定の接続点に対する制御情報を含む情報要素（ＩＥ）を提案し、前記情報要素が含まれた多数のプリミティブを提案する。また、本発明は、前記多数のプリミティブを使用してハンドオーバーのための制御情報の獲得及び更新方法を提案する。前記多数のプリミティブを用いてハンドオーバーのための制御情報の獲得及び更新を行うと、従来技術に係る遅延時間の増加を解決することができる。
【００６５】
本発明の特徴、動作及び効果は、以下で説明する本発明の一実施例によって一層具体化されるだろう。以下、添付された表及び図面を参照して本発明の一実施例を説明する。
【００６６】
本発明は、異機種網間のハンドオーバーに関するもので、情報サーバーによって提供される情報要素を提案する。以下、本実施例で提案する情報要素（Ｉｎｆｏｒｍａｔｉｏｎ  Ｅｌｅｍｅｎｔ：ＩＥ）の一例として、ＰｏＡ＿ＳｙｓｔｅｍＰａｒａｍｅｔｅｒ情報要素（ＩＥ）を説明する。
【００６７】
前記情報要素は、情報サーバーに保存される情報要素である。前記情報要素は、移動端末または接続点の要請によって伝達される情報要素である。また、前記情報要素は、移動端末がハンドオーバーを試みる前に獲得可能な情報要素の一つである。前記情報サーバーは、上述した情報サービスを提供するネットワークエンティティをいう。
【００６８】
以下で説明する情報要素は、候補ネットワークが広帯域無線接続システムである場合に関するものである。前記候補ネットワークは、ハンドオーバーを試みる移動端末が新しく接続するネットワークのうち何れか一つを表すもので、本発明に係る候補ネットワークの種類には制限がない。すなわち、上述したイーサネット（登録商標）などの有線インターフェースを含むネットワークが前記候補ネットワークになり得るし、無線ＬＡＮやセルラー移動通信（例えば、３ＧＰＰまたは３ＧＰＰ２）などの無線インターフェースを含むネットワークが前記候補ネットワークになり得る。
【００６９】
以下、説明の便宜のために、上述した多様なネットワークのうち広帯域無線接続システムが候補ネットワークになる場合の一例を説明する。広帯域無線接続システムにおいて、移動端末が上述したＵＣＤ、ＤＣＤの情報を情報サーバーから予め獲得する場合、ＤＣＤを通してＭＩＨ性能発見手順を行えるだけでなく、基地局から放送されるＤＬ−ＭＡＰ、ＵＬ−ＭＡＰを受けると、直ちに該当の基地局とのＬ２ハンドオーバー遂行を開始することができる。
【００７０】
整理すると、前記候補ネットワークが上述した広帯域無線接続システムであると、前記情報要素は、広帯域無線接続システムに対するハンドオーバー及び接続のために必要な多様な制御情報を含む。前記広帯域無線接続システムに接続するために、移動端末は、上述したＤＣＤ、ＵＣＤ、ＤＩＵＣ、ＵＩＵＣに関する情報を必要とするので、本実施例で提案する前記情報要素は、前記ＤＣＤ、ＵＣＤ、ＤＩＵＣ、ＵＩＵＣに関する情報を含むことが好ましい。前記候補ネットワークが特定の通信網である場合には、移動端末が前記特定の通信網にハンドオーバー／接続するのに必要な制御情報が存在するので、本実施例で提案する前記情報要素は、前記特定の通信網に対するハンドオーバー及び接続に必要な制御情報を含むことが好ましい。例えば、前記候補ネットワークが３ＧＰＰシステムである場合、前記情報要素には、システム情報ブロックの指示子、スケジューリング情報を含むマスター情報ブロック及び少なくとも一つのシステム情報ブロックが含まれる。また、前記候補ネットワークが３ＧＰＰ２システムである場合、前記情報要素には、システムパラメーターメッセージ（ｓｙｓｔｅｍ  ｐａｒａｍｅｔｅｒ  ｍｅｓｓａｇｅ：ＳＰＭ）に含まれる全てまたは一部のパラメーターが含まれる。
【００７１】
以下、上述した例示的な各システムで使用されるＰｏＡ＿ＳｙｓｔｅｍＰａｒａｍｅｔｅｒ情報要素（ＩＥ）フォーマットの各例を説明する。
【００７２】
【表９−１】
2009538548.tif 000014
【００７３】
【表９−２】
2009538548.tif 000015
表９は、本実施例に係るＰｏＡ＿ＳｙｓｔｅｍＰａｒａｍｅｔｅｒ情報要素（ＩＥ）フォーマットの一例を表している。前記ＤＣＤ、ＵＣＤ、ＤＩＵＣ、ＵＩＵＣに関する情報を含むので、候補ネットワークが広帯域無線接続システムである場合に使用されることが好ましい。
【００７４】
以下、情報サーバーに保存される情報要素の他の例として、上述したように、前記候補ネットワークが広帯域無線接続システムだけでなく、３ＧＰＰ及び３ＧＰＰ２システムを含む場合、該当システムのシステムパラメーターを含む情報要素の一例を説明する。
【００７５】
【表１０】
2009538548.tif 000016
表１０は、本実施例に係るＰｏＡ＿ＳｙｓｔｅｍＰａｒａｍｅｔｅｒ情報要素（ＩＥ）フォーマットの他の例を表している。表１０に示すように、ＰｏＡ＿ＳｙｓｔｅｍＰａｒａｍｅｔｅｒ情報要素（ＩＥ）は、少なくとも一つのシステムパラメーターを含む。以下、前記各システムパラメーターを一層具体的に説明する。
【００７６】
【表１１】
2009538548.tif 000017
表１１は、ＰｏＡ＿ＳｙｓｔｅｍＰａｒａｍｅｔｅｒ情報要素（ＩＥ）に含まれるシステムパラメーターに対する構成の一例を示しており、具体的なシステムパラメーター値に対する情報は、以下の表１２に示す通りである。
【００７７】
【表１２】
2009538548.tif 000018
表１２から分かるように、ネットワークタイプは、ＩＥＥＥ８０２．１６、３ｇｐｐ、３ｇｐｐ２などを含むことができる。そして、ネットワークタイプがＩＥＥＥ８０２．１６である場合、上述したように、各システムパラメーターは、ＤＣＤ、ＵＣＤ、ＤＩＵＣ、ＵＩＵＣに関する情報を含む。ネットワークタイプが３ｇｐｐである場合、各システムパラメーターには、マスター情報ブロック及び少なくとも一つのシステム情報ブロックが含まれる。また、ネットワークタイプが３ｇｐｐ２である場合、各システムパラメーターには、システムパラメーターメッセージ（ｓｙｓｔｅｍ  ｐａｒａｍｅｔｅｒ  ｍｅｓｓａｇｅ：ＳＰＭ）または拡張されたシステムパラメーターメッセージ（Ｅｘｔｅｎｄｅｄ  ＳＰＭ）に含まれる全てまたは一部のパラメーターが含まれる。
【００７８】
ネットワークタイプが３ｇｐｐである場合の各システムパラメーターに含まれるシステム情報ブロックの例は、マスター情報ブロック、第１スケジューリングブロック、第２スケジューリングブロック及び少なくとも一つのシステム情報ブロック（タイプ１−１８）を含む形式で構成される。
【００７９】
【表１３−１】
2009538548.tif 000019
【００８０】
【表１３−２】
2009538548.tif 000020
表１３は、ネットワークタイプが３ｇｐｐ２である場合、各システムパラメーターに含まれるシステムパラメーターメッセージの例を示している。
【００８１】
上述したＰｏＡ＿ＳｙｓｔｅｍＰａｒａｍｅｔｅｒ情報要素（ＩＥ）は、本実施例で提案する多様なプリミティブに含まれる。本実施例は、速いハンドオーバーを支援するために、従来より改善されたり、新しく提案されるプリミティブを使用する。以下、本実施例で提案するＬｉｎｋ＿Ｐａｒａｍｅｔｅｒ＿Ｃｈａｎｇｅ．Ｉｎｄｉｃａｔｉｏｎ、ＭＩＨ＿Ｇｅｔ＿Ｉｎｆｏｒｍａｔｉｏｎ．ｒｅｓｐｏｎｓｅ、ＭＩＨ＿Ｈａｎｄｏｖｅｒ＿Ｉｎｉｔｉａｔｅ．ｒｅｓｐｏｎｓｅ、ＭＩＨ＿Ｈａｎｄｏｖｅｒ＿Ｐｒｅｐａｒｅ．ｒｅｓｐｏｎｓｅ、Ｕｐｄａｔｅ＿Ｉｎｆｏ＿Ｑｕｅｒｙ．ｒｅｑｕｅｓｔ、Ｕｐｄａｔｅ＿Ｉｎｆｏ＿Ｑｕｅｒｙ．ｒｅｓｐｏｎｓｅプリミティブを説明する。
【００８２】
以下、Ｌｉｎｋ＿Ｐａｒａｍｅｔｅｒ＿Ｃｈａｎｇｅ．Ｉｎｄｉｃａｔｉｏｎを説明する。
【００８３】
前記プリミティブは、特定の限界値を逸脱した各リンクパラメーターに対する変化を知らせるために使用される。このプリミティブは、リンク速度、ＱｏＳまたはＢＥＲなどのリンク階層パラメーターを含み、各リンク階層パラメーターに対する限界値は、リンク構成しきい値（Ｌｉｎｋ  Ｃｏｎｆｉｇｕｒｅ  ｔｈｒｅｓｈｏｌｄｓ）コマンドに提示された限界値を使用する。
【００８４】
候補ネットワークが広帯域無線接続システムである場合、ＭＡＣ階層から変更されたＤＣＤ、ＵＣＤ情報をＰＯＡ＿ＳｙｓｔｅｍＰａｒａｍｅｔｅｒｓに含ませて伝達することができる。また、ＰＯＡ＿ＳｙｓｔｅｍＰａｒａｍｅｔｅｒｓは、本発明で提示したＵＣＤ、ＤＣＤ情報の他に、ハンドオーバーや網接続と関連した如何なる変更された情報も含むことができる。例えば、３ｇｐｐシステムの場合、マスター情報ブロック及びそれに該当する少なくとも一つのシステム情報ブロックを含み、３ｇｐｐ２システムの場合、システムパラメーターメッセージ（ｓｙｓｔｅｍ  ｐａｒａｍｅｔｅｒ  ｍｅｓｓａｇｅ：ＳＰＭ）または拡張されたシステムパラメーターメッセージ（Ｅｘｔｅｎｄｅｄ  ＳＰＭ）に含まれる全てまたは一部のパラメーターを含むことができる。また、ＰＯＡ＿ＳｙｓｔｅｍＰａｒａｍｅｔｅｒｓパラメーターは、ＬｉｎｋＰａｒａｍｅｔｅｒＬｉｓｔ内に含まれて伝達される。例えば、ＬｉｎｋＰａｒａｍｅｔｅｒＬｉｓｔのうちｎｅｗＶａｌｕｅｏｆＬｉｎｋＰａｒａｍｅｔｅｒ内にＰＯＡ＿ＳｙｓｔｅｍＰａｒａｍｅｔｅｒｓが含まれ、変更されたシステムパラメーター情報が上位階層に伝達されることもある。
【００８５】
ＬｉｎｋＰａｒａｍｅｔｅｒＬｉｓｔ、ＰＯＡ＿ＳｙｓｔｅｍＰａｒａｍｅｔｅｒｓなどの情報は、ＭＡＣ階層からＭＩＨに伝達され、情報サーバーとの通信を通して変更された情報を情報サーバーに更新要求するのに使用される。
【００８６】
前記プリミティブは、下記の表１４のように情報を含むことができる。
【００８７】
【表１４】
2009538548.tif 000021
以下、ＭＩＨ＿Ｇｅｔ＿Ｉｎｆｏｒｍａｔｉｏｎ．ｒｅｓｐｏｎｓｅを説明する。
【００８８】
ＭＩＨ＿Ｇｅｔ＿Ｉｎｆｏｒｍａｔｉｏｎ．ｒｅｑｕｅｓｔプリミティブは、移動端末のＭＩＨが情報を要請したり、接続点のＭＩＨが相手ＭＩＨエンティティに情報を要請するために使用される。情報質疑を通して網の性能または特定のインターフェースと関連した値を獲得することができる。
【００８９】
ＭＩＨ＿Ｇｅｔ＿Ｉｎｆｏｒｍａｔｉｏｎ．ｒｅｓｐｏｎｓｅプリミティブは、移動端末または接続点が情報サーバーからＰＯＡ＿ＳｙｓｔｅｍＰａｒａｍｅｔｅｒｓ情報要素に含まれたハンドオーバーや網接続と関連した情報を獲得するために使用される。広帯域無線接続システムの場合、ＭＡＣ階層からＤＣＤ、ＵＣＤ情報をＭＩＨ＿Ｇｅｔ＿Ｉｎｆｏｒｍａｔｉｏｎ．ｒｅｓｐｏｎｓｅ内のＰＯＡ＿ＳｙｓｔｅｍＰａｒａｍｅｔｅｒｓ情報要素に含ませて伝達することができる。また、上述したように、ＰＯＡ＿ＳｙｓｔｅｍＰａｒａｍｅｔｅｒｓ情報要素は、本実施例で提示したＵＣＤ、ＤＣＤ情報の他に、如何なる変更された情報も含むことができる。上述したように、３ｇｐｐシステムの場合、マスター情報ブロック及びそれに該当する少なくとも一つのシステム情報ブロックを含み、３ｇｐｐ２システムの場合、システムパラメーターメッセージ（ｓｙｓｔｅｍ  ｐａｒａｍｅｔｅｒ  ｍｅｓｓａｇｅ：ＳＰＭ）または拡張されたシステムパラメーターメッセージ（Ｅｘｔｅｎｄｅｄ  ＳＰＭ）に含まれる全てまたは一部のパラメーターを含んで伝送することができる。
【００９０】
また、前記ＭＩＨ＿Ｇｅｔ＿Ｉｎｆｏｒｍａｔｉｏｎ．ｒｅｑｕｅｓｔは、移動端末から現在の接続点を通して情報サーバーに伝送されたり、移動端末から直接情報サーバーに伝送される。情報サーバーは、ＭＩＨ＿Ｇｅｔ＿Ｉｎｆｏｒｍａｔｉｏｎ．ｒｅｓｐｏｎｓｅを通して要請された情報を含ませて応答する。
【００９１】
前記プリミティブは、下記の表１５のように情報を含むことができる。
【００９２】
【表１５】
2009538548.tif 000022
以下、ＭＩＨ＿Ｈａｎｄｏｖｅｒ＿Ｉｎｉｔｉａｔｅ．ｒｅｓｐｏｎｓｅプリミティブを説明する。
【００９３】
前記プリミティブは、端末にあるＭＩＨ機能が網にあるＭＩＨ機能と通信するために使用される。前記プリミティブは、ハンドオーバーを開始するという事実を伝達するのに使用される。前記プリミティブは、網がハンドオーバーを開始するために端末と通信するのにも使用される。本実施例によって前記プリミティブに追加されるものは、移動端末がＰｒｅｆｅｒｒｅｄＮｅｗＰｏＡに対するシステムパラメーター及びハンドオーバーのために要請した情報を含むＰＯＡ＿ＳｙｓｔｅｍＰａｒａｍｅｔｅｒｓのうち少なくとも何れか一つである。候補ネットワークが広帯域無線接続システムである場合、ＤＣＤ、ＵＣＤ情報をＰＯＡ＿ＳｙｓｔｅｍＰａｒａｍｅｔｅｒｓ情報要素に含ませて伝達することができる。また、上述したように、前記ＰＯＡ＿ＳｙｓｔｅｍＰａｒａｍｅｔｅｒｓ情報要素は、本発明で提示したＵＣＤ、ＤＣＤ情報の他に、ハンドオーバーや網接続と関連した如何なる変更された情報も含むことができる。情報要素は、候補ネットワークが広帯域無線接続システムだけでなく、如何なる他のシステム（ｉ．ｅ．３ｇｐｐ、３ｇｐｐ２）になるとしても、該当システムのシステムパラメーターまたはハンドオーバーや初期網接続に必要な情報を含むことができる。移動端末がＰＯＡ＿ＳｙｓｔｅｍＰａｒａｍｅｔｅｒｓ情報要素を含むメッセージを現在の接続点に伝送すると、現在の接続点は、情報サーバーまたはＰｒｅｆｅｒｒｅｄＮｅｗＰｏＡとの通信を通して情報を獲得することができる。
【００９４】
前記ＭＩＨ＿Ｈａｎｄｏｖｅｒ＿Ｉｎｉｔｉａｔｅ．ｒｅｓｐｏｎｓｅプリミティブは、下記の表１６のような情報を含むことができる。
【００９５】
【表１６−１】
2009538548.tif 000023
【００９６】
【表１６−２】
2009538548.tif 000024
以下、ＭＩＨ＿Ｈａｎｄｏｖｅｒ＿Ｐｒｅｐａｒｅ．ｒｅｓｐｏｎｓｅプリミティブを説明する。
【００９７】
前記プリミティブは、現在の接続点のＭＩＨと相手エンティティのＭＩＨとの間の通信のために使用される。このプリミティブは、ハンドオーバーが差し迫った場合、相手エンティティ（ハンドオーバー候補ネットワーク）がハンドオーバーのための資源を予め準備することを要請するために使用される。また、前記プリミティブは、相手エンティティの資源の状態などを要請して伝達するのに使用される。
【００９８】
本実施例では、迅速なハンドオーバーを行うために、相手エンティティからハンドオーバーと関連したパラメーターまたはシステムパラメーターを追加させる。具体的に、候補ネットワークが広帯域無線接続システムである場合には、前記プリミティブにＵＣＤ、ＤＣＤ、ＵＩＵＣ、ＤＩＵＣなどの情報を追加させる。また、前記ＰＯＡ＿ＳｙｓｔｅｍＰａｒａｍｅｔｅｒｓ情報要素は、候補ネットワークが広帯域無線接続システムだけでなく、如何なる他のシステム（ｉ．ｅ．３ｇｐｐ、３ｇｐｐ２）になるとしても、該当システムのシステムパラメーターまたはハンドオーバーや初期網接続に必要な情報を含むことができる。前記ＰＯＡ＿ＳｙｓｔｅｍＰａｒａｍｅｔｅｒｓ情報要素は、ＭＩＨ＿Ｈａｎｄｏｖｅｒ＿Ｉｎｉｔｉａｔｅ．ｒｅｓｐｏｎｓｅに伝達され、移動端末にまで伝達される。
【００９９】
前記ＭＩＨ＿Ｈａｎｄｏｖｅｒ＿Ｐｒｅｐａｒｅ．ｒｅｓｐｏｎｓｅプリミティブは、下記の表１７に示す通りである。
【０１００】
【表１７−１】
2009538548.tif 000025
【０１０１】
【表１７−２】
2009538548.tif 000026
以下、Ｕｐｄａｔｅ＿Ｉｎｆｏ＿Ｑｕｅｒｙ．ｒｅｑｕｅｓｔプリミティブを説明する。
【０１０２】
前記プリミティブは、各接続点または移動端末が情報サーバーに変更された各情報要素の更新を行うために使用される。各接続点、移動端末のＭＩＨ、接続点内のネットワーク個体（ＩＰまたは伝送階層）のうち何れか一つを通して情報サーバーとの通信が可能である。また、各接続点の情報更新を通して、移動端末は、ハンドオーバーを開始する前に信頼のある情報要素を受けることができる。ＩｎｆｏＱｕｅｒｙＰａｒａｍｅｔｅｒｓ情報要素には、更新する情報要素が挿入される。広帯域無線接続システムの場合、ＭＡＣ階層から変更されたＤＣＤ、ＵＣＤ情報をＰＯＡ＿ＳｙｓｔｅｍＰａｒａｍｅｔｅｒｓに含ませて伝送することができ、その他に、ハンドオーバーや網接続と関連した如何なる変更された情報も含むことができる。また、広帯域無線接続システムだけでなく、如何なる他の候補システム（ｉ．ｅ．３ｇｐｐ、３ｇｐｐ２）に関する変更されたシステムパラメーターも含ませて更新を要請することができる。
【０１０３】
前記Ｕｐｄａｔｅ＿Ｉｎｆｏ＿Ｑｕｅｒｙ．ｒｅｑｕｅｓｔプリミティブは、下記の表１８のような情報を含むことができる。
【０１０４】
【表１８】
2009538548.tif 000027
以下、Ｕｐｄａｔｅ＿Ｉｎｆｏ＿Ｑｕｅｒｙ．ｒｅｓｐｏｎｓｅプリミティブを説明する。
【０１０５】
前記プリミティブは、Ｕｐｄａｔｅ＿Ｉｎｆｏ＿Ｑｕｅｒｙ．ｒｅｑｕｅｓｔに対する応答メッセージとして使用され、情報サーバーに情報更新が成功的に行われたかに対する結果を伝送する。
【０１０６】
前記Ｕｐｄａｔｅ＿Ｉｎｆｏ＿Ｑｕｅｒｙ．ｒｅｓｐｏｎｓｅプリミティブは、次の表１９のように構成される。
【０１０７】
【表１９】
2009538548.tif 000028
以下、上述したプリミティブを使用してハンドオーバーを行う方法を説明する。
【０１０８】
図４は、本発明の一実施例に係る手順フローチャートである。図４は、マルチモード移動端末が無線ＬＡＮシステムから広帯域接続システムにハンドオーバーする場合、各接続点が情報サーバーに変更された情報の更新を要求する方法を示している。また、本発明を通して、移動端末または現在の接続点は、情報サーバーから新しい接続点に対する変更された情報を獲得することができる。
【０１０９】
図４は、現在の接続点が無線ＬＡＮシステム（ＩＥＥＥ８０２．１１）で、新しい接続点が広帯域無線接続システム（ＩＥＥＥ８０２．１６）である場合の一例に関するものである。本発明は、互いに異なるネットワーク間のハンドオーバーに関するもので、前記現在の接続点または新しい接続点の種類には制限がない。一方、図４の場合、広帯域無線接続システムが新しい接続点であるので、本実施例で提案した情報要素には、広帯域無線接続システムにおけるハンドオーバー及び接続のために必要な情報（ＤＣＤ、ＵＣＤ、ＤＩＵＣ、ＵＩＵＣに関する情報）が含まれる。３ｇｐｐシステムの場合、マスター情報ブロックを含む少なくとも一つのシステム情報ブロックタイプ（Ｓｙｓｔｅｍ  Ｉｎｆｏｒｍａｔｉｏｎ  ｂｌｏｃｋ  Ｔｙｐｅ：ＳＩＴ）が含まれ、３ｇｐｐ２システムの場合、システムパラメーターメッセージ（ｓｙｓｔｅｍ  ｐａｒａｍｅｔｅｒ  ｍｅｓｓａｇｅ：ＳＰＭ）または拡張されたシステムパラメーターメッセージ（Ｅｘｔｅｎｄｅｄ  ＳＰＭ）に含まれる全てまたは一部のパラメーターが含まれる。
【０１１０】
まず、マルチモード移動端末のＭＩＨは、現在接続している無線ＬＡＮリンクが一定時間後に接続解除状態になるという通報をリンク階層から受ける（Ｓ４０１）。
【０１１１】
また、移動端末のＭＩＨＦは、現在の接続点のＭＩＨまで遠隔で接続が解除されることを表すｌｉｎｋ＿ｇｏｉｎｇ＿ｄｏｗｎプリミティブを伝送する（Ｓ４０２）。
【０１１２】
移動端末の上位管理個体は、他の網にハンドオーバーするために、他のリンクを検出することを指示し、これがＭＩＨＦを通して該当のインターフェースリンク階層に伝達され、実際のリンク検出を実施する（Ｓ４０３）。
【０１１３】
実際のスキャン手順を通して検出された広帯域無線接続リンクは、リンク検出（ｌｉｎｋ  ｄｅｔｅｃｔｅｄ）プリミティブを通してＭＩＨＦに伝達される（Ｓ４０４）。
【０１１４】
以下、上述したＳ４０１乃至Ｓ４０４手順と独立的に行われるＳ４０５乃至Ｓ４０７手順を説明する。前記Ｓ４０５乃至Ｓ４０７手順は、特定の接続点で変更された情報を情報サーバーに知らせる手順に関するものである。
【０１１５】
特定の接続点、例えば、新しい接続点で特定の物理階層パラメーターに変更がある場合、変更された内容を情報サーバーに知らせる。このために、図４の広帯域接続システムリンク階層は、ＵＣＤ、ＤＣＤなどの物理階層パラメーターが変更された場合、これを本発明で提案したＰｏＡ＿ＳｙｓｔｅｍＰａｒａｍｅｔｅｒｓ情報要素を通してＭＩＨＦまたは上位個体に伝送する（Ｓ４０５）。
【０１１６】
変更された情報を受けたＭＩＨＦまたは上位個体は、情報更新要求及び応答を通して変更された情報を特定の保存所に保管する（Ｓ４０６、Ｓ４０７）。
【０１１７】
上述したように、広帯域伝送システムが情報サーバーでシステムパラメーターまたはハンドオーバー関連パラメーターを更新するＳ４０５乃至Ｓ４０７過程は、他の一連の過程と関係なしに行われる。すなわち、リンク階層の変更された情報を上位個体が受けるとき（すなわち、Ｓ４０５過程が行われるとき）であれば、いつでもＳ４０６及びＳ４０７の過程が行われる。
【０１１８】
以下、Ｓ４０８乃至Ｓ４１１の段階は、現在の接続点を通して情報サーバーにハンドオーバー及び接続に関する情報を要請する手順を表す。また、Ｓ４１２乃至Ｓ４１３の段階は、情報サーバーに直接的に情報を要請する手順を表す。前記Ｓ４０８乃至Ｓ４１１の段階と前記Ｓ４１２乃至Ｓ４１３の段階は、互いに独立的に行われる。
【０１１９】
まず、前記Ｓ４０８乃至Ｓ４１１の段階を説明する。
【０１２０】
マルチモード移動端末がＳ４０４によって獲得した新しい接続点（すなわち、広帯域接続システム）とのリンクに対するより多くの情報、例えば、新しい接続点のシステムパラメーター（ＵＣＤ、ＤＣＤ、ＳＩＢ、システムパラメーター）などの情報を要求するために、ＭＩＨ＿Ｇｅｔ＿Ｉｎｆｏｒｍａｔｉｏｎ．ｒｅｑｕｅｓｔを現在の接続点に伝送する（Ｓ４０８）。
【０１２１】
現在の接続点は、前記ＭＩＨ＿Ｇｅｔ＿Ｉｎｆｏｒｍａｔｉｏｎ．ｒｅｑｕｅｓｔによる質疑を情報サーバーに中継することで、新しい接続点にハンドオーバーのための情報を要請する（Ｓ４０９）。
【０１２２】
情報サーバーは、移動端末からの質疑に対する応答情報をプリミティブに含ませて移動端末に伝送する。すなわち、前記情報サーバーは、ＭＩＨ＿Ｇｅｔ＿Ｉｎｆｏｒｍａｔｉｏｎ．ｒｅｓｐｏｎｓｅプリミティブを通して移動端末の質疑に対する応答を現在の接続点に伝達し、前記応答情報が最終の移動端末に中継されることで、伝送が完了する（Ｓ４１０、Ｓ４１１）。
【０１２３】
前記情報サーバーに含まれるハンドオーバーまたは接続のために必要な制御情報は、前記Ｓ４０５乃至Ｓ４０７によって更新された物理階層パラメーター（ＵＣＤ、ＤＣＤ）などを含むことができる。
【０１２４】
以下、Ｓ４１２乃至Ｓ４１３の手順を説明する。
【０１２５】
移動端末のＭＩＨＦは、３階層伝送を用いてＭＩＨ＿Ｇｅｔ＿Ｉｎｆｏｒｍａｔｉｏｎ．ｒｅｑｕｅｓｔとＭＩＨ＿Ｇｅｔ＿Ｉｎｆｏｒｍａｔｉｏｎ．ｒｅｓｐｏｎｓｅを通した質疑を直接情報サーバーに伝送し、新しい接続点が更新した情報を獲得することができる（Ｓ４１２、Ｓ４１３）。
【０１２６】
移動端末のＭＩＨＦは、獲得した情報に基づいて新しい接続点（広帯域接続システム）のリンクで２階層連結を行うためのリンク連結（Ｌｉｎｋ  Ｃｏｎｎｅｃｔ）コマンドを伝送する。このとき、移動端末のＭＩＨＦは、情報サーバーから獲得した情報を含んでリンク連結（Ｌｉｎｋ  Ｃｏｎｎｅｃｔ）コマンドを伝送することができる（Ｓ４１４）。
【０１２７】
広帯域接続システムの基地局は、移動端末にＤＬ−ＭＡＰ、ＵＬ−ＭＡＰをフレームごとに放送することで、データバーストのためのフレームの構造及び帯域割り当てなどに関する各情報を伝達する（Ｓ４１５）。
【０１２８】
ダウンリンク及びアップリンクに対するＭＡＰ情報を獲得した移動端末は、情報サーバーを通して既に獲得したＵＣＤ、ＤＣＤを通してＭＩＨ性能情報を把握し、前記ＭＡＰ情報を通して初期レンジング区間を把握したので、レンジングを行うことができる。移動端末は、新しい接続点の基地局に２階層連結のための手順を行う（Ｓ４１６）。
【０１２９】
図５は、本実施例に係るハンドオーバー方法の他の一例を示している。すなわち、図５は、マルチモード移動端末が無線ＬＡＮシステムから広帯域接続システムにハンドオーバーする場合、現在の接続点を通して新しい接続点に対する情報を獲得する実施例を示している。上述したように、現在の接続点と新しい接続点は、本発明を説明するための一例に過ぎないので、前記現在の接続点と新しい接続点は、多様なインターフェースを使用する通信システムである。
【０１３０】
マルチモード移動端末のＭＩＨは、現在接続している無線ＬＡＮリンクが一定時間後に接続解除状態になるという通報をリンク階層から受ける（Ｓ５０１）。
【０１３１】
移動端末のＭＩＨＦは、現在の接続点のＭＩＨＦまで遠隔で接続が解除されるという事実を知らせるために、上述したＬｉｎｋ＿ｇｏｉｎｇ＿ｄｏｗｎプリミティブを伝送する。この場合、前記プリミティブに新しい接続点のＭＡＣ住所が含まれる（Ｓ５０２）。
【０１３２】
以下、二つのハンドオーバー方法を区分して説明する。Ｓ５０３乃至Ｓ５０６の手順は、現在の接続点によって情報サーバーから獲得した制御情報を用いて移動端末のハンドオーバーが行われる一連の手順である。また、Ｓ５０７乃至Ｓ５１３の手順は、新しい接続点と現在の接続から生成された制御情報を用いて移動端末のハンドオーバーが行われる一連の手順である。前記Ｓ５０３乃至Ｓ５０６の手順と前記Ｓ５０７乃至Ｓ５１３の手順は、独立的に行われる。
【０１３３】
まず、前記Ｓ５０３乃至Ｓ５０６の手順を説明する。新しい接続点に対するＭＡＣ住所を受けた現在の接続点は、情報サーバーに質疑語を伝送し、新しい接続点に対する情報を要請する（Ｓ５０３）。前記新しい接続点に対する情報要請は、本実施例で提案した情報要素をＭＩＨ＿Ｇｅｔ＿Ｉｎｆｏｒｍａｔｉｏｎ．ｒｅｑｕｅｓｔとＭＩＨ＿Ｇｅｔ＿Ｉｎｆｏｒｍａｔｉｏｎ．ｒｅｓｐｏｎｓｅに含ませることで行われる。情報サーバーは、要請したハンドオーバーと関連した情報、広帯域接続システムの場合、本発明で提案した情報要素にＤＣＤ、ＵＣＤなどのシステムパラメーターを含んで現在の接続点に応答する（Ｓ５０４）。図５に示したように、前記Ｓ５０３乃至Ｓ５０４手順を通してハンドオーバーと関連したパラメーター（ＨＯ  ｒｅｌａｔｅｄ  ｐａｒａｍｅｔｅｒｓ）及び接続と関連した多様なパラメーターが含まれ、これは、本実施例で提案した情報要素（ＰｏＡ＿ＳｙｓｔｅｍＰａｒａｍｅｔｅｒ  ＩＥ）によって可能である。
【０１３４】
移動端末のＭＩＨＦは、現在の接続点のＭＩＨＦにハンドオーバーしようとするリンク識別子、接続点の識別子を含み、ハンドオーバーを試みるという事実を伝送する（Ｓ５０５）。現在の接続点は、それ以前に情報サーバーを通して獲得した広帯域接続システムリンクに関する情報を含んで応答する（Ｓ５０６）。
【０１３５】
以下、Ｓ５０７乃至Ｓ５１３の手順を説明する。広帯域接続システム基地局のリンク階層は、ＵＣＤ、ＤＣＤなどの物理階層パラメーターが変更された場合（３ｇｐｐシステムの場合にはＳＩＢに含まれ、３ｇｐｐ２システムの場合にはシステムパラメータメッセージに含まれる各パラメーター）、変更された情報をＭＩＨＦまたは上位個体に伝送する（Ｓ５０７）。
【０１３６】
Ｓ５０８過程は、Ｓ５０５の同一の過程で、移動端末が現在の接続点を通して情報を獲得する例を表す（Ｓ５０８）。
【０１３７】
ハンドオーバー開始の要請を受信した現在の接続点は、新しい接続点に移動端末がハンドオーバーしようとすることを知らせ、必要なリソースを確保するようにしたり、現在利用可能なリソースに対する情報を得る。また、ハンドオーバーと関連したパラメーターや物理階層パラメーターに関する情報を要請する（Ｓ５０９）。
【０１３８】
該当の情報に対する要請を受けた現在の接続点、すなわち、基地局のＭＩＨＦは、ＭＡＣ階層から物理階層パラメーターを質疑語を通して獲得する（Ｓ５１０及びＳ５１１）。
【０１３９】
新しい接続点は、実際に利用可能なリソースに対する情報及び物理階層パラメーター（広帯域システムの場合にはＵＣＤ、ＤＣＤを含む情報、３ｇｐｐシステムの場合にはＳＩＢに含まれ、３ｇｐｐ２システムの場合にはシステムパラメーターメッセージに含まれる各パラメーター）を現在の接続点を通して（Ｓ５１２）、移動端末のハンドオーバー開始に対する応答として該当の情報を伝送する（Ｓ５１３）。前記リソースに対する情報を含む情報は、本実施例で提案したＭＩＨ＿Ｈａｎｄｏｖｅｒ＿Ｐｒｅｐａｒｅ．ｒｅｓｐｏｎｓｅ及びＭＩＨ＿Ｈａｎｄｏｖｅｒ＿Ｉｎｉｔｉａｔｅ．ｒｅｓｐｏｎｓｅを通して伝達される。
【０１４０】
移動端末のＭＩＨＦは、獲得した情報に基づいて広帯域接続システムリンク階層に２階層連結のためのリンク連結（Ｌｉｎｋ  Ｃｏｎｎｅｃｔ）コマンドを伝送する（Ｓ５１４）。広帯域接続システムの基地局は、移動端末にＤＬ−ＭＡＰ、ＵＬ−ＭＡＰをフレームごとに放送することで、データバーストのためのフレームの構造及び帯域割り当てなどに関する情報を伝達する（Ｓ５１５）。ＭＡＰ情報を受けた移動端末の広帯域接続システムリンク階層は、情報サーバーを通して既に獲得したＵＣＤ、ＤＣＤを通してＭＩＨ性能情報を認知し、ＭＡＰを通して初期レンジング区間を認知したので、基地局に２階層連結のための手順を行う（Ｓ５１６）。
【０１４１】
本発明がその精神及び必須的な特徴を逸脱しない範囲で他の特定の形態に具体化されうることは、当業者にとって自明である。したがって、上記の詳細な説明は、全て面で制限的に解析されてはならなく、例示的なものとして考慮されるべきである。本発明の範囲は、添付された特許請求の範囲の合理的な解析によって決定されるべきで、本発明の等価的範囲内での全て変更は、本発明の範囲に含まれる。
【産業上の利用可能性】
【０１４２】
本発明を通して、接続点がシステムパラメーターやハンドオーバーと関連した情報を情報サーバーに変更するときに更新する方法を提供する。また、本発明は、移動端末のＭＩＨＦが情報サーバーに保存されている接続点に対するシステムパラメーターなどに関する情報を獲得したり、現在の接続点を通して本発明で提示された方法によって新しい接続点に対するシステムパラメーターまたはハンドオーバーと関連したパラメーターを受信する方法を提供する。本発明は、ハンドオーバーのために新しい網に接続する時間を減少させるという効果を有する。
【図面の簡単な説明】
【０１４３】
【図１】広帯域無線接続システムのＯＦＤＭＡ物理階層のフレーム構造を示した図である。
【図２】マルチモードで構成された移動端末の一例を示した図である。
【図３】従来技術に係るハンドオーバー手順を示したフローチャートの一例である。
【図４】本発明の一実施例に係るハンドオーバー手順を示したフローチャートである。
【図５】本発明の他の実施例に係るハンドオーバー手順を示したフローチャートである。
【図１】
2009538548.tif 000029
【図２】
2009538548.tif 000030
【図３】
2009538548.tif 000031
【図４】
2009538548.tif 000032
【図５】
2009538548.tif 000033